(57)【要約】【課題】主に、フィルムの外周をシールしてなるパウチにおいて、パウチの意匠性を向上するとともに、パウチの使用性および注出性を向上し、さらには、内容物の識別や開封箇所の認識が可能な、ユニバーサルデザインに基づいたパウチを提供することである。【解決手段】上記課題を解決するため、本発明の請求項１記載の発明は、フィルムの外周をシールしてなるパウチにおいて、該パウチの胴部に、凹部若しくは凸部からなるエンボス絵柄加工を施したことを特徴とする、パウチである。【選択図】図１
2008184177.tif 000002
【特許請求の範囲】
【請求項１】
フィルムの外周をシールしてなるパウチにおいて、該パウチの胴部に、凹部若しくは凸部からなるエンボス絵柄加工を施したことを特徴とする、パウチ。
【請求項２】
前記フィルムに前記エンボス絵柄加工を施した後、前記シール工程を経てパウチを形成することを特徴とする、請求項１記載のパウチ。
【請求項３】
前記エンボス絵柄は、前記パウチに形成された絵柄に同調させたことを特徴とする、請求項１乃至２記載のパウチ。
【請求項４】
前記エンボス絵柄加工Ａは、１又は複数の、凸部と凹部とが組み合わされてなることを特徴とする、請求項１乃至３記載のパウチ。
【請求項５】
前記エンボス絵柄加工は、前記パウチの注出口近傍に形成したことを特徴とする、請求項１乃至４記載のパウチ。
【発明の詳細な説明】
【技術分野】
【０００１】
本発明は、パウチのデザイン性（意匠性）を向上するとともに、パウチの把持性、使用性、内容物の識別性、さらには、注出性を向上したパウチに関する。
【背景技術】
【０００２】
従来、食品や調味料等の粉末状の内容物や、液体洗剤、シャンプー、リンスなどの詰め替え用の液体を内容物とする包装体（パウチ）が知られている。この種のパウチは、開封時にパウチを把持しつつ、パウチのシール部分を含むフィルムを切除することにより注出口を形成し、使用時にパウチを傾けることにより、前記注出口から内容物を注ぎ出すことが可能である。
【０００３】
しかしながら、従来のパウチは、パウチ胴部のフィルムが平らで滑らかな面を有しており、意匠性に乏しいばかりでなく、パウチを持った際に、パウチを持つ手が滑りやすく、安定かつ強固にパウチを把持することが困難である。
【０００４】
そこで、パウチの意匠性を向上すべく、パウチ胴部に絵柄を強調させる方法として、例えば、紫外線硬化樹脂や発泡インクを用いてパウチ胴部に盛り上げ加工を施したり、ホログラム等の高価な材料を用いて意匠性を付与する方法等が考えられるが、これらによれば、印刷に加えてラミネート原版以外の材料を必要とするため、ランニングコストがかかるため製品単価が上昇してしまうという欠点がある。
【０００５】
また、パウチの意匠性とともにすべり止めを目的とした、パウチ表面に凹凸部分を有するパウチを形成することが考えられ、例えば、パウチのフィルムを部分的に加熱することにより、フィルムの収縮作用を利用してパウチ胴部に凹凸部分を形成することが考えられるが、この場合、フィルムの一部に肉痩せ部分が生じ、パウチ落下時に破袋するなどの恐れがある。また、この方法では、数μｍほどの凹凸部分を形成することはできても、凹凸部分の膨らみが足りず、意匠性のみならずすべり止め効果を向上することは困難である。
【発明の開示】
【発明が解決しようとする課題】
【０００６】
本発明は、このような問題点を解決するためになされたものであり、その課題は、主に、フィルムの外周をシールしてなるパウチにおいて、パウチの意匠性を向上するとともに、パウチ胴部にすべり止め効果を持たせてパウチの使用性および注出性を向上し、さらには、内容物の識別や開封箇所の認識が可能な、ユニバーサルデザインに基づいたパウチを提供することである。
【課題を解決するための手段】
【０００７】
そこで、上記課題を解決するため、本発明の請求項１記載の発明は、フィルムの外周をシールしてなるパウチにおいて、該パウチの胴部に、凹部若しくは凸部からなるエンボス絵柄加工を施したことを特徴とする、パウチである。
【０００８】
また、請求項２記載の発明は、前記フィルムに前記エンボス絵柄加工を施した後、前記シール工程を経てパウチを形成することを特徴とする、パウチである。
【０００９】
また、請求項３記載の発明は、前記エンボス絵柄は、前記パウチに形成された絵柄に同調させたことを特徴とする、パウチである。
【００１０】
また、請求項４記載の発明は、前記エンボス絵柄加工は、１又は複数の、凸部と凹部とが組み合わされてなることを特徴とする、パウチである。
【００１１】
また、請求項５記載の発明は、前記エンボス絵柄加工は、前記パウチの注出口近傍に形成したことを特徴とする、パウチである。
【発明の効果】
【００１２】
本発明の請求項１記載の発明は、フィルムの外周をシールしてなるパウチにおいて、該パウチの胴部に、凹部若しくは凸部からなるエンボス絵柄加工を施したことを特徴とするから、パウチの意匠性を向上し、立体的な印象を与えることが可能なパウチを提供することが可能である。さらには、パウチを持つ手が滑ることを防ぐ、すべり止めの効果のみならず、内容物の種類を識別する識別性を付与することが可能である。また、スタンドパウチでは、エンボス絵柄によりパウチ胴部の折れ曲りを防止することが可能である。
【００１３】
また、請求項２記載の発明は、前記フィルムに前記エンボス絵柄加工を施した後、前記シール工程を経てパウチを形成することを特徴とするから、点や線形状のエンボス絵柄のみならず、胴部の面を盛り上げたり、下げたりするエンボス絵柄を形成可能であるため、幅広い用途に向けての意匠性効果を奏することが可能である。また、フィルムの熱可塑性を利用して物理的にエンボス加工を施すことにより、エンボス加工を施した部分のフィルム強度が向上する効果がある。
【００１４】
また、請求項３記載の発明は、前記エンボス絵柄は、前記パウチに形成された絵柄に同調させたことを特徴とするから、パウチに施された印刷絵柄にさらに立体感を持たせて、強調させることが可能である。よって、パウチの意匠性を向上させることが可能である。
【００１５】
また、請求項４記載の発明は、前記エンボス絵柄加工は、１又は複数の、凸部と凹部とが組み合わされてなることを特徴とするから、複雑な形状の絵柄や模様等を形成することが可能であり、一層の意匠性向上を図ることが可能である。
【００１６】
また、請求項５記載の発明は、前記エンボス絵柄加工は、前記パウチの注出口近傍に形成したことを特徴とするから、開封後の注出口部分のフィルムが閉塞してしまうことを防止することが可能であり、内容物を良好に注ぎだすことが可能である。
【発明を実施するための最良の形態】
【００１７】
本発明に係るパウチ１０の一例としては、図１に示すように、未シール部分からなる胴部１の、上下左右（トップシール２、サイドシール３、ボトムシール４）にそれぞれシールを施してなるパウチ１０であって、パウチ１０の下方部分に自立可能な底部Ｓを有するスタンドパウチ１０である。このようなパウチ１０としては、種々の底形状からなるスタンドパウチのみならず、ガセットタイプのパウチや、３方パウチ、平パウチなど、内容物を充填したフィルムの外周をシールしてなるパウチ１０であれば、パウチ１０の種類や形状は限定されるものではない。
【００１８】
そして、パウチ使用時において、パウチ１０の一端に形成された注出部５のフィルムを、ノッチ６を起点に開封切除することにより、注出部５に開口部分を形成してパウチ１０を開封する構成である。パウチ１０の開封起点となる前記ノッチ６は、必ずしも形成することはなく、はさみ等を用いて開封箇所のフィルムを切除しても良い。また、前記注出部５は必ずしも形成する必要はないが、内容物の種類や使用性を向上するために、注出部５を有することが望ましい。また、この場合にも、注出部５の形状や構成は、特に限定されるものではない。
【００１９】
特に、本発明のパウチ１０は、前記胴部１に、凹部８や凸部９からなる、凹凸形状のエンボス絵柄加工７が施されており、このエンボス絵柄７により、後述する、パウチ１０の把持性や使用性、デザイン性を向上する効果のみならず、さらには内容物の識別性を付与することが可能である。以下に示す実施例とともに本発明のパウチ１０について説明する。
【００２０】
（実施例１）
前記エンボス絵柄７の一例としては、図２に示すように、パウチ胴部１の略中央部分に、２つの「葉っぱ」形状の凸部９からなるエンボス絵柄７Ａを形成してパウチのデザイン性を向上するとともに、パウチ胴部１の上方には、内容物がシャンプーであることを強調する「ｓｈａｎｐｏｏ」形状の凹部８および凸部９からなるエンボス絵柄７Ｂが形成されている。これにより、パウチ１０に立体的な印象のデザイン性を付与するとともに、内容物の情報を識別することが可能である。
【００２１】
また、エンボス絵柄７Ａは、パウチ１０を把持して傾けた際に重心となる位置に形成されており、図３に示すように、エンボス絵柄７Ａの凸部分９にパウチを把持する手の指が掛かるため、内容物の充填された重量の重いパウチ１０を片手で把持した際にも、パウチ１０を持つ手がすべることのない、強力なすべり止めの効果を奏することが可能である。
【００２２】
また、図４に示すように、パウチ１０の上部分を把持してパウチ１０を持った際にも、エンボス絵柄７Ｂの凹凸部分８、９が指に当接するため、パウチ１０を持つ手が滑ることなく、内容物が充填された重いパウチ１０であっても安定して把持することが可能である。
【００２３】
このような、パウチ１０を形成する方法の一例としては、図５に示すように、パウチ１０を形成する前段階において、エンボス絵柄７が形成された雌型２０と雄型３０との金型を用いて、直接フィルムにエンボス絵柄７を形成することにより、本発明のパウチ１０を形成することが可能である。
【００２４】
この場合、図５（ａ）に示すように、フィルムＦの冷却工程において、前記雌型２０および前記雄型３０からなる金型により、図５（ｂ）に示すように、フィルムＦの所定箇所を前記金型で挟み込むことにより、図５（ｃ）に示すように、エンボス絵柄７を形成することが可能である。
【００２５】
特に、前記エンボス絵柄加工を施す際には、予め、フィルムＦの上下から予熱板を用いて、フィルムＦを予熱した状態とし、前記金型２０、３０を用いて挟み込むことにより、エンボス絵柄７模様を形成することが好ましく、これにより、平らなフィルムＦへと、直接的（物理的）にエンボス模様７を形成することが可能である。このように、フィルムの熱可塑性を利用して物理的にエンボス加工を施すことにより、エンボス加工を施した部分のフィルム強度が向上する効果がある。他方、フィルムの熱収縮により、凹凸加工を施した場合、部分的に肉痩せする箇所が生じやすく、パウチの落下時に、エンボス部分のフィルムが破れやすい等の問題がある。
本発明のパウチは、エンボス絵柄の凹凸形状を、金型を用いて物理的に形成する点に特徴があり、点や線形状のエンボス絵柄のみならず、胴部の面を盛り上げたり、下げたりするエンボス絵柄を形成可能であるため、幅広い用途に向けての意匠性効果を奏することが可能である。
【００２６】
（実施例２）
前記エンボス絵柄の一例としては、図６に示すように、パウチの絵柄部分Ｅ（葉っぱ絵柄Ｅ）に同調させて、「葉っぱ」形状からなるエンボス絵柄７Ａを形成してもよく、また、パウチ１０の裏面にも、絵柄に同調させたエンボス絵柄７Ｃを形成してもよい。
このように、パウチの絵柄部分Ｅに、エンボス絵柄７Ａを同調させて形成することにより、絵柄部分Ｅが浮き上がり立体的な印象とインパクトを消費者に与えることが可能である。
【００２７】
また、パウチの絵柄部分Ｅのみならず、パウチの文字部分Ｍに対応させて前記エンボス絵柄７を形成してもよく、例えば、文字部分Ｍである「ｓｈａｍｐｏｏ」の文字Ｍに同調させて「ｓｈａｍｐｏｏ」形状からなるエンボス絵柄７Ｂを形成してもよい。
このように、文字情報をエンボス加工とすることにより、文字情報に触れるだけで識別可能な効果を奏することが可能である。
【００２８】
（実施例３）
前記エンボス絵柄の一例としては、図７に示すように、パウチ胴部１の、注出部５にかけてエンボス絵柄７Ｄを形成してもよく、特に、ノッチ６を起点に切除される部分にかけて凸部７Ｄを形成することにより、開封後の注出部５のフィルムが閉塞してしまうことを防止することが可能である。また、直感的に注出部５を認識することが可能なエンボス形状とすることにより、消費者に認識可能な情報を提供することが可能である。
【００２９】
前記エンボス絵柄７の形状としては、「葉っぱ」形状に限らず、商品のイメージに合った絵柄を適宜選択すればよく、さらには、製造元のロゴマークや、商品名をエンボス加工してもよい。何れにせよ、パウチ１０の胴部１に形成可能であれば、エンボス絵柄７の形状は限定されるものではない。
【００３０】
従来より、内容物が入った状態のパウチ１０を片手で把持する場合には、パウチ１０の胴部１を片手で持つことが多い。特に、内容物が流体や粉体である場合、パウチ胴部１が変形しやすく、胴部１が柔らかなため、パウチ１０を安定して持つことが困難であった。さらには、胴部１のフィルム表面が滑らかであるため、パウチ１０を持つ手が滑りやすく、パウチ１０を落下してしまう恐れがあり、内容物が飛散してしまう、パウチ１０が破れてしまう等の問題があった。
【００３１】
しかしながら、本発明のパウチ１０は、パウチ胴部１に形成された、エンボス絵柄７部分を持つことにより、たとえ、内容物が入った重量の重いパウチ１０を、片手で持った際にも、パウチ１０を持つ手がすべることなく、パウチ１０を強固かつ安定して把持することが可能である。
【００３２】
また、シャンプーやリンスなど、内容物の種類によってエンボス絵柄７の形状を変えることにより、内容物を容易に識別することが可能な識別性を付与することが可能である。
【００３３】
このように、本発明のパウチ１０は、パウチ胴部１に、凹部若しくは凸部からなるエンボス絵柄７加工を施す簡単な構成により、パウチ１０の把持性、使用性を向上することが可能であるとともに、内容物の認識性を付与することが可能なユニバーサルデザインに基づくパウチ１０を提供することが可能である。さらには、パウチ１０の注出部５にエンボス模様７を形成することにより、開封直後に注出部５のフィルムが閉塞してしまうことを防止する効果がある。また、パウチ１０を傾けて内容物を注ぎ出す際に、たとえ内容物が充填された重量の重いパウチ１０であっても、パウチ胴部１に形成されたエンボス模様により、パウチ１０を把持する指先が滑ることなく、片手でパウチを把持しつつ安定して内容物を注ぎ出すことが可能である。
【００３４】
（比較例）
下記表１および表２に示すようなフィルム構成からなるフィルムに、前記「葉っぱ」模様の金型を用いて、パウチ胴部１にエンボス絵柄加工７を施して、パウチ胴部１の摩擦抵抗値を測定した。
エンボス絵柄加工を施していない場合と、エンボス絵柄加工を施した場合とで、摩擦抵抗値を比較した場合の比較例を表１および表２に示す。
【００３５】
（表１）フィルム表面と金属板との滑り抵抗値
【表１】
2008184177.tif 000003
（表２）フィルム表面同士の滑り抵抗値※但しベースはエンボスなし
【表２】
2008184177.tif 000004
【００３６】
以上のように、本発明のパウチ１０は、パウチ胴部１に、複数の凹凸形状からなるエンボス絵柄模様７を形成する簡単な構成により、内容物の識別が可能となるばかりでなく、パウチ１０の把持性や開封性、さらには注出性を向上したパウチ１０を提供することが可能である。さらには、パウチ胴部１に、エンボス模様７を物理的に形成する方法を用いることにより、エンボス部分７のフィルムＦ強度が高まり、パウチ胴部１の形状が安定する胴部保型効果があるばかりでなく、スタンドパウチ１０においては、胴部１の保型性が向上し、さらにはパウチ１０の自立性が向上する効果がある。
【００３７】
上記例では、エンボス絵柄模様として「葉っぱ」模様を示したが、これに限らず文字形状やロゴマーク等であってもよい。これにより、シャンプー中などの目が見えない状況であっても、パウチの胴部に触れるだけで、内容物を容易に識別することが可能な効果を奏することが可能である。
【００３８】
前記エンボス模様の凹部および凸部は、その厚みが、０．１〜３．０ｍｍの範囲が好ましく、０．５〜２．０ｍｍがより好ましい。
【００３９】
前記パウチ１０は、主にプラスチックフィルムを主体とする積層フィルムが用いられ、例えば、各種食品用パウチに用いられている従来公知の積層フィルムを用いることができ、特に限定されるものではない。積層フィルムの構成は、内容物の種類や充填後の加圧加熱殺菌時に加えられる加熱条件などによって適宜選定することができる。
【００４０】
また、前記積層フィルムの、前記基材層の一例としては、耐熱性の優れた２軸延伸プラスチックフィルムが使用可能できるが、２軸延伸ポリエチレンテレフタレート（ＰＥＴ）を使用するのが好ましい。また、積層フィルムの前記中間層としては、アルミ蒸着ペット（ＶＭＰＥＴ）、２軸延伸ナイロン（ＯＮ）、アルミニウ箔と２軸延伸ナイロンの積層フィルム を使用することができる。そして、積層フィルムの前記熱接着性樹脂層としては、変性ポリプロピレン樹脂（ＰＰ）、高密度ポリエチレン（ＨＤＰＥ）等が使用できるが、エラストマー成分をブレンドしたポリプロピレン樹脂を使用するのが好ましい。
前記積層フィルム構成の一例としては、ＯＮ／ＰＥＦ、ＯＮ／ＶＭＰＥＴ／ＰＥＦ、ＰＥＴ／ＯＮ／ＰＥＴなどが挙げられる。
【００４１】
本発明のパウチ１０に充填する内容物としては、例えば、詰め替え用のシャンプーやリンス、洗剤などの液体のみならず、粉末状の調味料やインスタントコーヒーなど、パウチ１０のフィルムを切除して内容物を注出するパウチ形態であれば、パウチ１０の形状や種類は特に限定されるものではない。
【図面の簡単な説明】
【００４２】
【図１】本発明のパウチの一例を示す図である。
【図２】本発明のパウチの別の例を示す図である。
【図３】本発明のパウチを把持する様子を示す説明図である。
【図４】本発明のパウチを把持する様子を示す説明図である。
【図５】（ａ）（ｂ）（ｃ）本発明のパウチを形成する方法の一例を示す説明図である。
【図６】本発明のパウチのさらに別の例を示す説明図である。
【図７】本発明のパウチのさらに別の例を示す説明図である。
【符号の説明】
【００４３】
１  パウチ胴部（胴部）
２  トップシール
３  サイドシール
４  ボトムシール
５  注出口（注出部分）
６  ノッチ
７  エンボス絵柄（凹凸部分）
７Ａ、７Ｂ、７Ｃ、７Ｄ  エンボス絵柄
８  凹部
９  凸部
１０  パウチ
２０  雌型（金型）
３０  雄型（金型）
Ｆ  フィルム
Ｓ  底部（自立可能な底部）
Ｅ  絵柄
【図１】
2008184177.tif 000005
【図２】
2008184177.tif 000006
【図３】
2008184177.tif 000007
【図４】
2008184177.tif 000008
【図５】
2008184177.tif 000009
【図６】
2008184177.tif 000010
【図７】
2008184177.tif 000011